(57)【要約】【課題】ヘッドとシャフトにおけるシャフト交換に用いるゴルフクラブのシャフト交換ジョイント構造を提供する。【解決手段】位置決め機構と、シャフトスリーブと、螺着内ねじと、回転防止外ねじとを含む。位置決め機構はヘッドに固設し、その内部にはフランジを有する。シャフトスリーブの一端はシャフトに接続して固定し、他端は第１雄ねじ山を有し、シャフトスリーブは位置決め機構に入れてフランジに当接する。螺着内ねじはねじ穴を含み、シャフトスリーブの第１雄ねじ山を有する一端を位置決め機構内に入れ、螺着内ねじのねじ穴をシャフトスリーブの第１雄ねじ山と螺合することによって、シャフトスリーブのシャフトに螺着して接続する。回転防止外ねじの外表面に、ヘッド内の雌ねじ山に対応する第２雄ねじ山を有し、第２雄ねじ山を介して雌ねじ山と螺合し、かつ螺着内ねじを支える。【選択図】図３
0003143146.tif 000002
【実用新案登録請求の範囲】
【請求項１】
ゴルフクラブのヘッドとシャフトにおけるシャフト交換に応用するゴルフクラブのシャフト交換ジョイント構造において、
前記ヘッドに固設し、内部にフランジを有する位置決め機構と、
その一端は前記シャフトに接続して固定し、他端は第１雄ねじ山を有し、前記位置決め機構に入れ、前記フランジを当接するシャフトスリーブと、
ねじ穴を含み、前記シャフトスリーブの前記第１雄ねじ山を有する一端を前記位置決め機構内に入れ、前記ねじ穴を前記シャフトスリーブの前記第１雄ねじ山と螺合することによって、前記シャフトスリーブの前記シャフトに螺着して接続する螺着内ねじと、
前記ヘッド内の雌ねじ山に対応する第２雄ねじ山を外表面に有し、前記第２雄ねじ山を介して前記雌ねじ山と螺合し、かつ前記螺着内ねじを支える回転防止外ねじと、
を含むゴルフクラブのシャフト交換ジョイント構造。
【請求項２】
前記位置決め機構の内部の一端はテーパ溝を含み、前記テーパ溝の内径が小さい一端は、前記位置決め機構内部において前記フランジを形成する請求項１に記載のゴルフクラブのシャフト交換ジョイント構造。
【請求項３】
前記螺着内ねじ外部は、前記位置決め機構の前記テーパ溝に対応してテーパ状をなし、かつ前記螺着内ねじの外径が小さい一端は前記ねじ穴を含み、前記シャフトスリーブの前記第１雄ねじ山を有する一端を前記位置決め機構内に入れる際に、前記螺着内ねじの前記ねじ穴は前記シャフトスリーブの前記第１雄ねじ山と螺合する請求項２に記載のゴルフクラブのシャフト交換ジョイント構造。
【請求項４】
前記テーパ状の前記螺着内ねじと前記位置決め機構の前記テーパ溝との間に置くテーパパッドをさらに含む請求項３に記載のゴルフクラブのシャフト交換ジョイント構造。
【請求項５】
前記位置決め機構の前記フランジ内側は、少なくとも１つの位置決めブロックを有し、前記シャフトスリーブは、前記位置決めブロックに対応する少なくとも１つの位置決め溝を有し、前記シャフトスリーブを前記位置決め機構に入れて前記フランジに当接する際に、前記位置決め溝は、位置決めと固定のために、前記位置決めブロックに対応していなければならない請求項１に記載のゴルフクラブのシャフト交換ジョイント構造。
【請求項６】
前記位置決め機構を前記ヘッド内に接着した請求項１に記載のゴルフクラブのシャフト交換ジョイント構造。
【請求項７】
前記位置決め機構を前記ヘッド内に溶着した請求項１に記載のゴルフクラブのシャフト交換ジョイント構造。
【請求項８】
ゴルフクラブのヘッドとシャフトにおけるシャフト交換に応用するゴルフクラブのシャフト交換ジョイント構造において、
前記ヘッドに設けられ、フランジを含み、前記フランジは当接面と、前記当接面の中にある位置決め穴とを有するソケットと、
前記ソケットに入れ、その一端は前記シャフトに接続して固定し、他端はねじ穴を有するシャフトスリーブと、
ねじの頭を有し、前記位置決め穴を介して位置決めされ、前記シャフトスリーブの前記ねじ穴と螺合し、かつ前記ねじの頭が前記当接面を支えることによって、前記シャフトスリーブの前記シャフトに螺着して接続する螺着内ねじと、
前記ヘッド内の第１雌ねじ山に対応する第１雄ねじ山を外表面に有し、前記第１雄ねじ山を介して前記第１雌ねじ山と螺合し、かつ前記螺着内ねじの前記ねじの頭を支える回転防止外ねじと、
を含むゴルフクラブのシャフト交換ジョイント構造。
【請求項９】
前記ソケットを前記ヘッドに一体成形した請求項８に記載のゴルフクラブのシャフト交換ジョイント構造。
【請求項１０】
前記ソケットを前記ヘッドに接合した請求項８に記載のゴルフクラブのシャフト交換ジョイント構造。
【請求項１１】
前記ソケットの外表面に第２雄ねじ山を有し、前記ソケットを前記ヘッドに入れ、前記第２雄ねじ山を利用して前記ヘッド内の第２雌ねじ山と螺合する請求項８に記載のゴルフクラブのシャフト交換ジョイント構造。
【請求項１２】
前記第１雌ねじ山を前記ソケット内に設けた請求項８に記載のゴルフクラブのシャフト交換ジョイント構造。
【請求項１３】
前記ヘッドに設けた位置決め機構をさらに含み、前記位置決め機構は、前記シャフトスリーブ外部の少なくとも１つの位置決め溝に対応する少なくとも１つの位置決めブロックを含み、前記シャフトスリーブを前記ヘッドに入れる際に、前記シャフトスリーブの前記位置決め溝は、位置決めと固定のために、前記位置決めブロックに対応していなければならない請求項８に記載のゴルフクラブのシャフト交換ジョイント構造。
【請求項１４】
前記ソケットはテーパ溝をさらに含み、前記テーパ溝は前記ソケット内部にあり、かつ前記フランジに近い側の内径は前記フランジから離れた側の内径よりも小さい請求項８に記載のゴルフクラブのシャフト交換ジョイント構造。
【請求項１５】
前記シャフトスリーブの前記ねじ穴を有する一端は、前記ソケット内部の前記テーパ溝に対応してテーパ状をなす請求項１４に記載のゴルフクラブのシャフト交換ジョイント構造。
【請求項１６】
前記テーパ状の前記シャフトスリーブの一端と前記ソケットの前記テーパ溝との間に置くテーパパッドをさらに含む請求項１５に記載のゴルフクラブのシャフト交換ジョイント構造。
【考案の詳細な説明】
【技術分野】
【０００１】
ゴルフクラブのシャフト交換ジョイント構造、特に、ゴルフクラブのヘッドとシャフトにおけるシャフト交換に応用するシャフト交換ジョイント構造に関する。
【背景技術】
【０００２】
ゴルフが盛んになるのに伴い、ゴルフクラブの構造と材料も日進月歩となっている。ゴルフクラブをすべての使用者のニーズに合わせることができるようにし、かつ使用者が打球時の状況に基づき適切なヘッドとシャフトの組み合わせを選択できるようにするため、ゴルフクラブの開発製造者は、迅速なシャフト交換機能を有するゴルフクラブを積極的に開発している。
【０００３】
図１は、公知のゴルフクラブのシャフト交換ジョイント構造の概要図である。特許文献１で開示されている迅速なシャフト交換機能を有するゴルフクラブ１０は、ヘッド１２とシャフト１４とを備え、ヘッド１２及びシャフト１４は、シャフト交換ジョイント構造１６を介して迅速なシャフト交換を行い、そのうちシャフト交換ジョイント構造１６は、シャフトスリーブ１８と、ソケット２０と、スクリュー２２とを含む。シャフトスリーブ１８の一端は開口部２４を有し、シャフト１４を開口部２４に入れ、シャフトスリーブ１８と接着により結合して固定する。ソケット２０をヘッド１２に嵌合し、ヘッド１２の中に接着により固定する。シャフトスリーブ１８をソケット２０に入れた後、スクリュー２２でシャフトスリーブ１８をソケット２０に螺着し、ヘッド１２とシャフト１４において迅速なシャフト交換が可能な機能を達成する。
【特許文献１】米国特許第７０８３５２９号公告
【考案の開示】
【考案が解決しようとする課題】
【０００４】
しかし、公知のゴルフクラブは、毎回のスイングと打球によって、スクリュー２２が徐々に緩みやすく、ヘッド１２とシャフト１４の固定効果に影響を及ぼし、打球のパフォーマンスに影響を及ぼし、深刻な状況においては、ヘッド１２とシャフト１４が脱離し、誤って怪我をする危険性がある。
【課題を解決するための手段】
【０００５】
これに鑑み、前記の課題を解決するため、本考案は、回転防止外ねじを利用して螺着内ねじを支え、螺着内ねじが徐々に緩み、ゴルフクラブのヘッドとシャフトの固定効果に影響を及ぼすことを防止するゴルフクラブのシャフト交換ジョイント構造を提供する。
【０００６】
前記目的を達成するため、本考案は、ゴルフクラブのヘッドとシャフトにおけるシャフト交換に応用するゴルフクラブのシャフト交換ジョイント構造を提供する。本考案のゴルフクラブのシャフト交換ジョイント構造は、位置決め機構と、シャフトスリーブと、螺着内ねじと、回転防止外ねじとを含む。位置決め機構はヘッドに固設し、内部にフランジを有する。シャフトスリーブの一端はシャフトに接続して固定し、他端は第１雄ねじ山を有し、シャフトスリーブは位置決め機構に入れてフランジに当接する。螺着内ねじはねじ穴を含み、シャフトスリーブの第１雄ねじ山を有する一端は位置決め機構内に入れ、螺着内ねじのねじ穴はシャフトスリーブの第１雄ねじ山と螺合し、シャフトスリーブのシャフトに螺着して接続する。回転防止外ねじの外表面に、ヘッド内の雌ねじ山に対応する第２雄ねじ山を有し、第２雄ねじ山は雌ねじ山と螺合し、かつ回転防止外ねじは螺着内ねじを支える。
【０００７】
前記目的を達成するため、本考案は、ゴルフクラブのヘッドとシャフトにおけるシャフト交換に応用するゴルフクラブのシャフト交換ジョイント構造をさらに提供する。本考案のゴルフクラブのシャフト交換ジョイント構造は、ソケットと、シャフトスリーブと、螺着内ねじと、回転防止外ねじとを含む。ソケットはヘッドに設けられ、フランジを含み、かつフランジは当接面と、当接面の中にある位置決め穴とを有する。シャフトスリーブはソケットに入れ、その一端はシャフトに接続して固定し、他端はねじ穴を有する。螺着内ねじはねじの頭を有し、位置決め穴を介して位置決めされ、シャフトスリーブのねじ穴と螺合し、かつねじの頭は当接面を支えることによって、シャフトスリーブのシャフトに螺着して接続する。回転防止外ねじの外表面に、前記ヘッド内の第１雌ねじ山に対応する第１雄ねじ山を有し、回転防止外ねじは第１雄ねじ山を介して第１雌ねじ山と螺合し、かつ回転防止外ねじは螺着内ねじのねじの頭を支える。
【考案の効果】
【０００８】
本考案のゴルフクラブのシャフト交換ジョイント構造は、回転防止外ねじを利用して螺着内ねじを支えることによって、ゴルフクラブの毎回のスイングと打球の後に螺着内ねじが徐々に緩み、ヘッドとシャフトの固定効果に影響を及ぼし、打球のパフォーマンスに影響を及ぼすことを防止し、さらにヘッドとシャフトの脱離によって誤って怪我をする危険を防ぐことができる。
【考案を実施するための最良の形態】
【０００９】
本考案の目的、構造及びその機能をさらに理解できるようにするため、関連実施例及び図面の詳細な説明により、次のとおり説明する。
【００１０】
図２及び図３は、それぞれ本考案の第１実施例のゴルフクラブのシャフト交換ジョイント構造の分解立体図及び本考案の第１実施例のゴルフクラブのシャフト交換ジョイント構造を応用してヘッドとシャフトを結合した断面図である。本考案の第１実施例のゴルフクラブのシャフト交換ジョイント構造３０は、ゴルフクラブのヘッド３２とシャフト３４におけるシャフト交換に応用する。位置決め機構３６と、シャフトスリーブ３８と、螺着内ねじ４０と、回転防止外ねじ４２とを含む。
【００１１】
位置決め機構３６は、接着又は溶着によりヘッド３２に固設することができる。位置決め機構３６の内部の一端には、テーパ溝４４と、フランジ４６とを有し、テーパ溝４４の内径が小さい一端は、位置決め機構３６内部においてフランジ４６を形成する。また、フランジ４６内側には、少なくとも１つの位置決めブロック４８を有することができる。
【００１２】
シャフトスリーブ３８の一端はシャフト３４に接続して固定し、他端は第１雄ねじ山５０を有する。シャフトスリーブ３８は位置決め機構３６に入れてフランジ４６に当接する。また、シャフトスリーブ３８は、位置決めブロック４８に対応する少なくとも１つの位置決め溝５２を有することができ、かつ位置決め溝５２は、位置決めと固定のために、位置決めブロック４８に対応していなければならない。
【００１３】
螺着内ねじ４０の外部は、テーパ５４状で位置決め機構３６に対応するテーパ溝４４であり、かつその外径が小さい一端はねじ穴５６を含む。螺着内ねじ４０のねじ穴５６は、シャフトスリーブ３８の第１雄ねじ山５０と螺合し、シャフトスリーブ３８のシャフト３４に螺着して接続する。
【００１４】
回転防止外ねじ４２は、鉄、ステンレス鋼、純チタン、チタン合金、アルミニウム又はアルミニウム合金などの材質により構成され、その外表面に、ヘッド３２内の雌ねじ山６０に対応する第２雄ねじ山５８を有する。回転防止外ねじ４２は、第２雄ねじ山５８を介して雌ねじ山６０と螺合し、かつ螺着内ねじ４０を支えることによって、螺着内ねじ４０が毎回のスイングと打球の後に徐々に緩んで抜けることを防止する。
【００１５】
注意すべきことは、本考案の第１実施例で開示した位置決め機構３６内部のテーパ溝４４は、テーパ５４状の螺着内ねじ４０とテーパをなすよう設計されている理由は、螺着内ねじ４０のねじ穴５６をシャフトスリーブ３８の第１雄ねじ山５０と螺合させた後に、比較的優れた回転防止力を有することが可能なようにするためであることである。また、テーパ５４状の螺着内ねじ４０と位置決め機構３６のテーパ溝４４との間には、テーパパッド６２をさらに含むことができ、螺着内ねじ４０をきつく締めると、テーパパッド６２はシャフト３４とヘッド３２との間の回転防止力を提供することができる。しかし、他の実施例において、位置決め機構の内部と螺着内ねじは、テーパをなす設計に限るものではない。
【００１６】
図４及び図５は、それぞれ本考案の第２実施例のゴルフクラブのシャフト交換ジョイント構造の分解立体図及び本考案の第２実施例のゴルフクラブのシャフト交換ジョイント構造を応用してヘッドとシャフトを結合した断面図である。本考案の第２実施例のゴルフクラブのシャフト交換ジョイント構造７０は、ゴルフクラブのヘッド７２とシャフト７４におけるシャフト交換に応用する。ソケット７６と、シャフトスリーブ７８と、螺着内ねじ８０と、回転防止外ねじ８２とを含む。
【００１７】
ソケット７６は、ヘッド７２と一体成形することも、接合によりヘッド７２に設けることもでき、フランジ８４を含み、かつフランジ８４は、当接面８６と、当接面８６の中にある位置決め穴８８とを有する。本考案の第２実施例において、ソケット７６はさらにテーパ溝９０を含むことができ、テーパ溝９０はソケット７６内部にあり、かつフランジ８４に近い側の内径はフランジ８４から離れた側の内径よりも小さい。
【００１８】
シャフトスリーブ７８はソケット７６に入れ、その一端はシャフト７４に接続して固定し、他端はねじ穴９２を有する。本考案の第２実施例において、シャフトスリーブ７８のねじ穴９２を有する一端は、ソケット７６内部のテーパ溝９０に対応してテーパ９４状をなし、かつシャフトスリーブ７８外部には、さらに少なくとも１つの位置決め溝９６を有する。また、本考案の第２実施例のゴルフクラブのシャフト交換ジョイント構造７０は、ヘッド７２に設けられた位置決め機構９８を含むことができ、かつ位置決め機構９８は、シャフトスリーブ７８外部の位置決め溝９６に対応する少なくとも１つの位置決めブロック１００を含む。シャフトスリーブ７８をヘッド７２に入れる際に、シャフトスリーブ７８の位置決め溝９６は、位置決めと固定のために、位置決めブロック１００に対応していなければならない。
【００１９】
螺着内ねじ８０はねじの頭１０２を有し、位置決め穴８８を介して位置決めされ、シャフトスリーブ７８のねじ穴９２と螺合し、かつねじの頭１０２が当接面８６を支えることによって、シャフトスリーブ７８のシャフト７４に螺着して接続する。また、本考案の第２実施例のゴルフクラブのシャフト交換ジョイント構造７０は、テーパ９４状のシャフトスリーブ７８の一端とソケット７６のテーパ溝９０との間に置くテーパパッド１０４をさらに含むことができ、螺着内ねじ８０をきつく締めると、テーパパッド１０４はシャフト７４とヘッド７２との間の回転防止力を提供する。
【００２０】
回転防止外ねじ８２の外表面に、ヘッド７２内の第１雌ねじ山１０８に対応する第１雄ねじ山１０６を有し、第１雄ねじ山１０６を介して第１雌ねじ山１０８と螺合し、かつ螺着内ねじ８０のねじの頭１０２を支えることによって、螺着内ねじ８０が毎回のスイングと打球の後に徐々に緩んで抜けることを防止する。そのうち、第１雌ねじ山１０８はヘッド７２又はソケット７６内に設ける。
【００２１】
注意すべきことは、本考案の第２実施例のソケット７６外表面に、第２雄ねじ山１１０を有することができ、ソケット７６をヘッド７２に入れ、第２雄ねじ山１１０を利用してヘッド７２内の第２雌ねじ山１１２と螺合することである。
【００２２】
従来技術に比べ、本考案のゴルフクラブのシャフト交換ジョイント構造は、回転防止外ねじを利用して螺着内ねじを支えることにより、ゴルフクラブの毎回のスイングと打球の後に螺着内ねじが徐々に緩み、ヘッドとシャフトの固定効果に影響を及ぼし、打球のパフォーマンスに影響を及ぼすことを防止し、さらにヘッドとシャフトの脱離によって誤って怪我をする危険を防ぐことができる。
【００２３】
本考案は、好適な実施例を開示したが、本考案を限定するために用いるものではなく、当業者は本考案の主旨を逸脱しない範囲において、各種の変更と修飾を行うことができるため、本考案の保護範囲は実用新案登録の範囲で定めたものを基準とする。
【図面の簡単な説明】
【００２４】
【図１】公知のゴルフクラブのシャフト交換ジョイント構造の概要図である。
【図２】本考案の第１実施例のゴルフクラブのシャフト交換ジョイント構造の分解立体図である。
【図３】本考案の第１実施例のゴルフクラブのシャフト交換ジョイント構造を応用しヘッドとシャフトを結合した断面図である。
【図４】本考案の第２実施例のゴルフクラブのシャフト交換ジョイント構造の分解立体図である。
【図５】本考案の第２実施例のゴルフクラブのシャフト交換ジョイント構造を応用しヘッドとシャフトを結合した断面図である。
【符号の説明】
【００２５】
１０    ゴルフクラブ
１２    ヘッド
１４    シャフト
１６    シャフト交換ジョイント構造
１８    シャフトスリーブ
２０    ソケット
２２    スクリュー
２４    開口部
３０    ゴルフクラブのシャフト交換ジョイント構造
３２    ヘッド
３４    シャフト
３６    位置決め機構
３８    シャフトスリーブ
４０    螺着内ねじ
４２    回転防止外ねじ
４４    テーパ溝
４６    フランジ
４８    位置決めブロック
５０    第１雄ねじ山
５２    位置決め溝
５４    テーパ
５６    ねじ穴
５８    第２雄ねじ山
６０    雌ねじ山
６２    テーパパッド
７０    ゴルフクラブのシャフト交換ジョイント構造
７２    ヘッド
７４    シャフト
７６    ソケット
７８    シャフトスリーブ
８０    螺着内ねじ
８２    回転防止外ねじ
８４    フランジ
８６    当接面
８８    位置決め穴
９０    テーパ溝
９２    ねじ穴
９４    テーパ
９６    位置決め溝
９８    位置決め機構
１００    位置決めブロック
１０２    ねじの頭
１０４    テーパパッド
１０６    第１雄ねじ山
１０８    第１雌ねじ山
１１０    第２雄ねじ山
１１２    第２雌ねじ山
【図１】
0003143146.tif 000003
【図２】
0003143146.tif 000004
【図３】
0003143146.tif 000005
【図４】
0003143146.tif 000006
【図５】
0003143146.tif 000007